(57)【要約】【課題】笠木を手で把持しながら進行する使用者に対して金属が露出した手摺ブラケットに接触することによる手の違和感を排除し、手摺ブラケットの曲成腕部の突出部への接触による怪我を防止する手摺ブラケット用カバーを提供することにある。【解決手段】設置壁面Ｗへの固定部３から設置壁面を離れるように突出して上向きに延長し笠木１に下方より止着される止着部５に至る曲成腕部４を有する金属製の手摺ブラケット２の曲成腕部に対して、少なくとも笠木の下面に近接する箇所から突出する曲成腕部を内部に収容する縦方向空洞部１０を有するブロック状に形作られると共に、手摺ブラケットを外方から縦方向空洞部に通過させるための通過用縦溝を有し、且つ少なくとも外側面は軟質材料で形成されているカバー本体よりなる手摺ブラケット用カバー。【選択図】図３
2008163553.tif 000002
【特許請求の範囲】
【請求項１】
設置壁面への固定部から該設置壁面を離れるように突出して上向きに延長し笠木に下方より止着される止着部に至る曲成腕部を有する金属製の手摺ブラケットの該曲成腕部に対して、少なくとも該笠木の下面に近接する箇所から突出する該曲成腕部を内部に収容する縦方向空洞部を有するブロック状に形作られると共に、該手摺ブラケットを外方から該縦方向空洞部に通過させるための通過用縦溝を有し、且つ少なくとも外側面は軟質材料で形成されているカバー本体よりなることを特徴とする手摺ブラケット用カバー。
【請求項２】
前記カバー本体には、前記通過用縦溝を通じて前記縦方向空洞部に前記曲成腕部を収容した後に、該通過用縦溝を挟んで取付用ボルトが挿通され、該取付用ボルトのボルト接合により前記手摺ブラケットに取付けられることを特徴とする請求項１記載の手摺ブラケット用カバー。
【請求項３】
前記カバー本体は、全体が軟質材料で形成されると共に、前記カバー本体の前記縦方向空洞部を挟む前記通過用縦溝の対向側は折曲げ可能な薄肉連結部とされていることを特徴とする請求項１又は請求項２記載の手摺ブラケット用カバー。
【請求項４】
前記カバー本体は、その外形が卵形に形成されていることを特徴とする請求項３記載の手摺ブラケット用カバー。
【請求項５】
前記カバー本体は、芯材としての溝形材外面に軟質被覆材が積層されて形成され、該溝形材の内部が前記縦方向空洞部を形成し、該溝形材のウェブが前記手摺ブラケットにおける前記曲成腕部の外周前面と対面すると共に、該溝形材の両フランジが該手摺ブラケットにおける該曲成腕部の外周両横面と対面して該手摺ブラケットに取付けられることを特徴とする請求項１又は請求項２記載の手摺ブラケット用カバー。
【請求項６】
前記カバー本体は、芯材としてのリップ付溝形材のウェブ外面および両フランジ外面に軟質被覆材が積層されて形成され、該リップ付溝形材の内部が前記縦方向空洞部を形成し、該リップ付溝形材のウェブが前記手摺ブラケットにおける前記曲成腕部の外周前面と対面すると共に、該リップ付溝形材の両フランジが該手摺ブラケットにおける該曲成腕部の外周両横面と対面して配置され、両リップが前記設置壁面と該手摺ブラケットの前記固定部との間に挟着されて該手摺ブラケットに取付けられることを特徴とする請求項１記載の手摺ブラケット用カバー。
【発明の詳細な説明】
【技術分野】
【０００１】
本発明は、手摺のブラケットを被覆する手摺ブラケット用カバー、特に手摺のブラケットを被覆して手摺利用の安全性を確保する手摺ブラケット用カバーに関する。
【背景技術】
【０００２】
手摺の設置方法に於いて、建物の設置壁面への固定部から設置壁面を離れるように突出して上向きに延長し手摺笠木に下方より止着される止着部に至る曲成腕部を有する金属製の手摺ブラケットを使用して設置される例は多い。このような手摺では、笠木を手で把持しながら進行する使用者は、笠木の手摺ブラケット設置位置に於いて笠木固定箇所の手摺ブラケットの上部に手が接触してしまう可能性が大きい。特に笠木表面が合成樹脂等の軟質材で被覆されているときに、笠木に連続している金属が露出した手摺ブラケットに接触することは、手に違和感を与えるのみでなく、手摺ブラケットの曲成腕部の角部への接触によって手が負傷をしたり、さらに知覚過敏者にとっては金属接触による障害を発生させる虞が生じる。そしてこのような欠点を除く手段は今まで開発されていない。尤も手摺ブラケットを設置壁面に固定した際に、固定部から突出するアンカーボルト頭が露出する不体裁を防止するために当該箇所を被覆するような硬質のカバーを設置した例は知られている（例えば、特許文献１及び特許文献２参照。）。しかしながらこのような従来技術は、あくまでアンカーボルト頭の被覆が主眼であって、笠木との接続部分において金属製ブラケットとの直接接触を防止する技術は開示されていない。
【０００３】
【特許文献１】特開２００４−１４３８３１号公報
【特許文献２】特開２００６−２１９８８３号公報
【発明の開示】
【発明が解決しようとする課題】
【０００４】
本発明が解決しようとする課題は、笠木を手で把持しながら進行する使用者に対して笠木に連続している金属が露出した手摺ブラケットに接触することによる手の違和感を排除し、手摺ブラケットの曲成腕部の突出部への接触による怪我を防止し、さらに知覚過敏者にとっての金属接触による障害を発生を防止する手摺ブラケット用カバーを提供することにある。
【課題を解決するための手段】
【０００５】
前記課題を解決するために、本発明にかかる手摺ブラケット用カバーは、設置壁面への固定部から該設置壁面を離れるように突出して上向きに延長し笠木に下方より止着される止着部に至る曲成腕部を有する金属製の手摺ブラケットの該曲成腕部に対して、少なくとも該笠木の下面に近接する箇所から突出する該曲成腕部を内部に収容する縦方向空洞部を有するブロック状に形作られると共に、該手摺ブラケットを外方から該縦方向空洞部に通過させるための通過用縦溝を有し、且つ少なくとも外側面は軟質材料で形成されているカバー本体よりなることを主な特徴とする。
【発明の効果】
【０００６】
本発明は、次のような効果を奏する。
Ａ．少なくとも笠木の下面に近接する箇所から突出する曲成腕部が、少なくとも外側面は軟質材料で形成されている手摺ブラケット用カバーに内包されるので、笠木を手で把持しながら進行する使用者に対して、笠木に連続している金属が露出した手摺ブラケットに手が接触することによる違和感を排除する。特に知覚過敏者にとって笠木に連続している金属が露出した手摺ブラケットに接触することによる障害を発生を防止する。
Ｂ．少なくとも笠木の下面に近接する箇所から突出する曲成腕部が、少なくとも外側面は軟質材料で形成されている手摺ブラケット用カバーに内包されるので、手摺ブラケットによる負傷の内、最も起りやすい硬い手摺ブラケットの設置壁面を離れるように外方に突出する曲成腕部への打撲や擦過による負傷を防止する。
Ｃ．手摺ブラケット用カバーの手摺ブラケットへの取付は容易であり、既存手摺の手摺ブラケットに対しても簡単に取付が可能である。
【発明を実施するための最良の形態】
【０００７】
本発明を実施するための最良の形態について、以下実施例において、添付図面を参照しながら具体的に説明する。
【実施例】
【０００８】
図１乃至図５には第１実施例が示されている。図２及び図３において、手摺の笠木１は手摺を設置する設置壁面Ｗに固定された金属製の手摺ブラケット２の上向き端に止着されることによって支持されている。即ち手摺ブラケット２は設置壁面Ｗに沿う固定部３が設置壁面ＷにアンカーボルトＢによって固定され、手摺ブラケット２の曲成腕部４が固定部３から設置壁面Ｗを離れるように上向きに笠木１の下方に向って延長し、曲成腕部４の上端は笠木１への止着部５となっていて笠木１内部に縦通する金属製の笠木芯体６に嵌合止着され、笠木１が手摺ブラケット２により支持されている。笠木１の表面には軟質合成樹脂や半硬質合成樹脂等で製造された比較的に軟質な笠木被覆層７が装着されており、使用者の手触りを良好にしている。本発明においてすべての実施例における手摺ブラケット２や笠木１の構造は、その形状が多少異なる場合があるとしてもほぼ同様とされる。
【０００９】
図１乃至図５において、第１実施例における手摺ブラケット用カバー８のカバー本体９は、全体が軟質合成樹脂等の軟質材料で製造され、前方及び上方からは略長方形、側方からは略三角形のブロック状をなし、手摺ブラケット２の曲成腕部４における笠木１下面に近接する箇所から固定部３迄を収容する縦方向空洞部１０を有する。そしてカバー本体９には先に設置壁面Ｗに固定された手摺ブラケット２に後から装着することができるように、手摺ブラケット２を外方から縦方向空洞部９に通過させるための通過用縦溝１１が形成されると共に、通過用縦溝１１を拡開することができるようにカバー本体９の縦方向空洞部１０を挟む通過用縦溝１１の対向側は折曲げ可能な薄肉連結部１２とされている。またカバー本体９の中央上方には通過用縦溝１１を挟んで横切る通孔１３が設けられ、通過用縦溝１１を通じて縦方向空洞部１０に曲成腕部４を収容した後に、通孔１３を通じて取付用ボルト１４を締付けて取付を完了することになる。取付用ボルト１４に代えてリベットを使用することもあり、さらにカバー本体９に充分な弾力性があるときには、弾力による嵌合のみで取付を行うこともできる。
【００１０】
このように、カバー付の手摺ブラケットとしてはじめから製品とすることも、手摺ブラケット用カバー８を既存の手摺ブラケット２に後から装着することも可能である。手摺ブラケット用カバー８を取付けることによって、笠木１を手で把持しながら進行する使用者は、笠木１の手摺ブラケット２設置個所に於いて軟質の手摺ブラケット用カバー８に手が触れるので、金属製のブラケットに接触するのと異なって、接触の違和感を与えることがなく、また手を含む身体が怪我をすることもなく、さらに知覚過敏者にとって金属接触による障害を発生させることがない。またカバー本体９に適切な色彩を施すことや蓄光顔料を添加させて表示効果を高めることも可能である。
【００１１】
第１実施例では、手摺ブラケット用カバー８は、手摺ブラケット２の曲成腕部４の笠木１の下面に近接する箇所から固定部３迄を収容する縦方向空洞部１０を有し、固定部３におけるアンカーボルトＢのボルト頭迄を被覆するものであるが、実際上手摺ブラケット２における露出したアンカーボルトＢのボルト頭を備える固定部３に接触して使用者が怪我を負うことは少なく、固定部３から設置壁面Ｗを離れるように上向きに突出して延長する露出した曲成腕部４に身体が接触して怪我をする頻度が高い。このような理由から本発明での主要な特徴は手摺ブラケット２の曲成腕部４の笠木１の下面に近接する箇所を含む曲成腕部４の突出部分の被覆に向けられている。図６乃至図１０にはこの点を重要視した第２実施例が示されている。図７及び図８において、手摺の笠木１、手摺ブラケット２、固定部３、曲成腕部４、止着部５、笠木芯体６、笠木被覆層７、設置壁面Ｗ、アンカーボルトＢ等は第１実施例で説明した態様と同様である。
【００１２】
図６乃至図１０において、第２実施例における手摺ブラケット用カバー８のカバー本体９は、全体が軟質合成樹脂等の軟質材料で製造され、前方及び上方からは略長方形、側方からは略倒台形のブロック状をなし、手摺ブラケット２の曲成腕部４の笠木１の下面に近接する箇所から突出している部分迄を収容する縦方向空洞部１０を有する。したがってアンカーボルトＢのボルト頭を含む固定部３の大半は被覆されない。そして第１実施例と同様に、カバー本体９には先に設置壁面Ｗに固定された手摺ブラケット２に後から装着することができるように、手摺ブラケット２を外方から縦方向空洞部９に通過させるための通過用縦溝１１が形成されると共に、通過用縦溝１１を拡開することができるようにカバー本体９の縦方向空洞部１０を挟む通過用縦溝１１の対向側は折曲げ可能な薄肉連結部１２とされている。またカバー本体９の中央上方には通過用縦溝１１を挟んで横切る通孔１３が設けられ、通過用縦溝１１を通じて縦方向空洞部１０に曲成腕部４を収容した後に、通孔１３を通じて取付用ボルト１４を締付けて取付を完了することになる。このような方法で取付が行われるから既存手摺の手摺ブラケット２に対しても容易に取付が行われる。取付用ボルト１４に代えてリベットを使用することもあり、さらにカバー本体９に充分な弾力性があるときには、弾力による嵌合のみで取付を行うこともできる。またカバー本体９に適切な色彩を施すことや蓄光顔料を添加させて表示効果を高めることができることも第１実施例と同様である。
【００１３】
第１実施例及び第２実施例の手摺ブラケットカバー８では、そのカバー本体９はいずれも手摺ブラケット２の外形に沿った外形が形成されているが、さらにカバー本体９の外形を卵形に形成して意匠的な効果を高めるようにした態様が第３実施例として図１１乃至図１５に示される。一般的に手摺を設置する場合に、手摺ブラケット２の存在を隠してしまう傾向があるが、第３実施例では逆に手摺ブラケット２の存在を主張する態様とされている。図１２及び図１３において、手摺の笠木１、手摺ブラケット２、固定部３、曲成腕部４、止着部５、笠木芯体６、笠木被覆層７、設置壁面Ｗ、アンカーボルトＢ等は第１実施例で説明した態様と同様である。
【００１４】
図１１乃至図１５において、第３実施例における手摺ブラケット用カバー８のカバー本体９は、全体が軟質合成樹脂等の軟質材料で製造され、外形が起立した卵形のブロック状をなし、手摺ブラケット２の曲成腕部４の笠木１の下面に近接する箇所から突出している部分迄を収容する縦方向空洞部１０を有する。したがって第２実施例と同様にアンカーボルトＢのボルト頭を含む固定部３の大半は被覆されない。そして第１実施例および第２実施例と同様に、カバー本体９には先に設置壁面Ｗに固定された手摺ブラケット２に後から装着することができるように、手摺ブラケット２を外方から縦方向空洞部９に通過させるための通過用縦溝１１が形成されると共に、通過用縦溝１１を拡開することができるようにカバー本体９の縦方向空洞部１０を挟む通過用縦溝１１の対向側は折曲げ可能な薄肉連結部１２とされている。またカバー本体９の中央上方には通過用縦溝１１を挟んで横切る通孔１３が設けられ、通過用縦溝１１を通じて縦方向空洞部１０に曲成腕部４を収容した後に、通孔１３を通じて取付用ボルト１４を締付けて取付を完了することになる。このような方法で取付が行われるから既存手摺の手摺ブラケット２に対しても容易に取付が行われる。取付用ボルト１４に代えてリベットを使用することもあり、さらにカバー本体９に充分な弾力性があるときには、弾力による嵌合のみで取付を行うこともできる。またカバー本体９に適切な色彩を施すことや蓄光顔料を添加させて表示効果を高めることができることも第１実施例および第２実施例と同様である。
【００１５】
図１６乃至図２１には、第１実施例乃至第３実施例と異なってカバー本体９の通過用縦溝１１を拡開させない形式の手摺ブラケット用カバー８を使用した第４実施例とその僅かな変形例が示されている。図１７及び図１８において、手摺の笠木１、手摺ブラケット２、固定部３、曲成腕部４、止着部５、笠木芯体６、笠木被覆層７、設置壁面Ｗ、アンカーボルトＢ等は第１実施例で説明した態様と同様である。
【００１６】
図１６乃至図１９には第４実施例が示されているが、第４実施例における手摺ブラケット用カバー８のカバー本体９は、芯材としての金属製溝形材１５外面に軟質合成樹脂等の軟質被覆材１８が積層されて形成され、前面、上面、側面が長方形状のブロック状をなし、溝形材１５の内部が縦方向空洞部１０を形成し、また溝形材１５の開口が通過用縦溝１１を形成している。カバー本体９の中央上方には通過用縦溝１１である溝形材１５の開口を挟んで横切る通孔１３が設けられ、通過用縦溝１１を通じて縦方向空洞部１０に曲成腕部４を収容すると、溝形材１５のウェブ１６が手摺ブラケット２における曲成腕部４の外周前面と対面すると共に、溝形材１５の両フランジ１７，１７が手摺ブラケット２における曲成腕部４の外周両横面と対面して配置される。縦方向空洞部１０に曲成腕部４を収容した後に通孔１３を通じて取付用ボルト１４を締付けて取付を完了することになる。このような方法で取付が行われるから既存手摺の手摺ブラケット２に対しても容易に取付が行われる。この取付には取付用ボルト１４に代えてリベットを使用することもあり、またカバー本体９の外面に適切な色彩を施すことや軟質被覆材１８蓄光顔料を添加させて表示効果を高めることができる。
【００１７】
図２０には第４実施例の変形例が示されている。第４実施例では、カバー本体９内に広い縦方向空洞部１０が形成されるから、第１実施例乃至第３実施例のように特定形状の手摺ブラケット２に対して特定形状の手摺ブラケット用カバー８を用意する必要がない。図２０には第１実施例乃至第３実施例とは異なった形状の手摺ブラケット２が示されているが、第４実施例では異なった形状の手摺ブラケット２に対して汎用的に使用することができる。
【００１８】
図２１には第４実施例の他の変形例が示されている。第４実施例について前記した説明では、手摺ブラケット用カバー８は、手摺ブラケット２の曲成腕部４の笠木１の下面に近接する箇所から固定部３迄を収容する縦方向空洞部１０を有し、固定部３におけるアンカーボルトＢのボルト頭迄被覆するものであるが、第２実施例について説明したとおり、実際上手摺ブラケット２におけるアンカーボルトＢのボルト頭を備える固定部３に接触して使用者が怪我を負うことは少なく、固定部３から設置壁面Ｗを離れるように上向きに突出して延長する露出した曲成腕部４に身体が接触して怪我をする頻度が高い。このような理由から、図２１に示す変形例では、手摺ブラケット用カバー８のカバー本体９は、手摺ブラケット２の曲成腕部４の笠木１の下面に近接する箇所から突出している部分迄を収容する縦方向空洞部１０を有し裾が短く形成されている。
【００１９】
図２２乃至図２７には、第１実施例乃至第３実施例と異なってカバー本体９の通過用縦溝１１を拡開させない形式の手摺ブラケット用カバー８を使用した第５実施例とその僅かな変形例が示されている。さらに第５実施例は、取付用ボルト１４を使用しない点で第４実施例と異なる。図２３及び図２４において、手摺の笠木１、手摺ブラケット２、固定部３、曲成腕部４、止着部５、笠木芯体６、笠木被覆層７、設置壁面Ｗ、アンカーボルトＢ等は第１実施例で説明した態様と同様である。
【００２０】
図２２乃至図２５には第５実施例が示されているが、第５実施例における手摺ブラケット用カバー８のカバー本体９は、芯材としての金属製リップ付溝形材１９のウェブ１６外面および両フランジ１７，１７外面に軟質合成樹脂等の軟質被覆材１８が積層されて形成され、前面、上面、側面が長方形状のブロック状をなし、リップ付溝形材１９の内部が縦方向空洞部１０を形成し、またリップ付溝形材１９の開口が通過用縦溝１１を形成している。通過用縦溝１１を通じて縦方向空洞部１０に曲成腕部４を収容すると、リップ付溝形材１９のウェブ１６が手摺ブラケット２における曲成腕部４の外周前面と対面すると共に、リップ付溝形材１９の両フランジ１７，１７が手摺ブラケット２における曲成腕部４の外周両横面と対面して配置される。第５実施例では手摺ブラケット用カバー８の手摺ブラケット２への取付手段にも特徴がある。即ち手摺ブラケット用カバー８の手摺ブラケット２への取付は、手摺ブラケット２の設置壁面Ｗへの固定の際に、カバー本体９におけるリップ付溝形材１９の両リップ２０，２０を手摺ブラケット２の固定部３と設置壁面Ｗとの間に介在させ、固定部３からアンカーボルトＢを締付けると、両リップ２０，２０は固定部２と設置壁面Ｗとの間に挟着され、間接的に手摺ブラケット２に取付けられることとなる。第５実施例の取付手段によれば、第１実施例乃至第４実施例における取付用ボルト１４のような別体の取付手段を必要としない。既存手摺の手摺ブラケット２に対して取付けるには、アンカーボルトＢを少し緩めて、設置壁面Ｗと手摺ブラケット２の固定部３との間に空隙を設け、この空隙に両リップ２０，２０を挿入してアンカーボルトＢを締直せばよい。また両リップ２０，２０の面積は手摺ブラケット２の固定部３の面積よりも広いので、アンカーボルトＢを締付ける際に、締付け応力は固定部３よりも面積の広い両リップ２０，２０に分散され、設置壁面Ｗを形成するボード類の潰れを生じさせない。
【００２１】
図２６には第５実施例の変形例が示されている。第５実施例では、カバー本体９内に広い縦方向空洞部１０が形成されるから、第１実施例乃至第３実施例のように特定の手摺ブラケット２に対して特定の手摺ブラケット用カバー８を用意する必要がない点で第４実施例と同様である。図２６には第１実施例乃至第３実施例とは異なった形状の手摺ブラケット２が示されているが、第５実施例では異なった形状の手摺ブラケット２に対して汎用的に使用することができる。
【００２２】
図２７には第５実施例の他の変形例が示されている。第５実施例について前記した説明では、手摺ブラケット用カバー８は、手摺ブラケット２の曲成腕部４の笠木１の下面に近接する箇所から固定部３迄を収容する縦方向空洞部１０を有し、固定部３におけるアンカーボルトＢのボルト頭迄被覆するものであるが、第２実施例について説明したとおり、実際上手摺ブラケット２におけるアンカーボルトＢのボルト頭を備える固定部３に接触して使用者が怪我を負うことは少なく、固定部３から設置壁面Ｗを離れるように上向きに突出して延長する露出した曲成腕部４に身体が接触して怪我をする頻度が高い。このような理由から、図２７に示す変形例では、手摺ブラケット用カバー８のカバー本体９は、手摺ブラケット２の曲成腕部４の笠木１の下面に近接する箇所から突出している部分迄を収容する縦方向空洞部１０を有し裾が短く形成されている。
【図面の簡単な説明】
【００２３】
【図１】第１実施例における手摺ブラケット用カバーの装着状態を示す斜視図である。
【図２】第１実施例における手摺ブラケット用カバーの装着状態を示す側面図である。
【図３】第１実施例における手摺ブラケット用カバーの装着状態を示す縦断面図である。
【図４】第１実施例における手摺ブラケット用カバーの上面図である。
【図５】第１実施例における手摺ブラケット用カバーの横断面図である。
【図６】第２実施例における手摺ブラケット用カバーの装着状態を示す斜視図である。
【図７】第２実施例における手摺ブラケット用カバーの装着状態を示す側面図である。
【図８】第２実施例における手摺ブラケット用カバーの装着状態を示す縦断面図である。
【図９】第２実施例における手摺ブラケット用カバーの上面図である。
【図１０】第２実施例における手摺ブラケット用カバーの横断面図である。
【図１１】第３実施例における手摺ブラケット用カバーの装着状態を示す斜視図である。
【図１２】第３実施例における手摺ブラケット用カバーの装着状態を示す側面図である。
【図１３】第３実施例における手摺ブラケット用カバーの装着状態を示す縦断面図である。
【図１４】第３実施例における手摺ブラケット用カバーの上面図である。
【図１５】第３実施例における手摺ブラケット用カバーの横断面図である。
【図１６】第４実施例における手摺ブラケット用カバーの装着状態を示す斜視図である。
【図１７】第４実施例における手摺ブラケット用カバーの装着状態を示す側面図である。
【図１８】第４実施例における手摺ブラケット用カバーの装着状態を示す縦断面図である。
【図１９】第４実施例における手摺ブラケット用カバー横断面図である。
【図２０】第４実施例の変形例における手摺ブラケット用カバーの装着状態を示す縦断面図である。
【図２１】第４実施例の他の変形例における手摺ブラケット用カバーの装着状態を示す縦断面図である。
【図２２】第５実施例における手摺ブラケット用カバーの装着状態を示す斜視図である。
【図２３】第５実施例における手摺ブラケット用カバーの装着状態を示す側面図である。
【図２４】第５実施例における手摺ブラケット用カバーの装着状態を示す縦断面図である。
【図２５】第５実施例における手摺ブラケット用カバー横断面図である。
【図２６】第５実施例の変形例における手摺ブラケット用カバーの装着状態を示す縦断面図である。
【図２７】第５実施例の他の変形例における手摺ブラケット用カバーの装着状態を示す縦断面図である。
【符号の説明】
【００２４】
１  笠木
２  手摺ブラケット
３  固定部
４  曲成腕部
５  止着部
８  手摺ブラケット用カバー
９  カバー本体
１０  縦方向空洞部
１１  通過用縦溝
１２  薄肉連結部
１３  通孔
１４  取付用ボルト
１５  溝形材
１６  ウェブ
１７  フランジ
１８  軟質被覆材
１９  リップ付溝形材
２０  リップ
【図１】
2008163553.tif 000003
【図２】
2008163553.tif 000004
【図３】
2008163553.tif 000005
【図４】
2008163553.tif 000006
【図５】
2008163553.tif 000007
【図６】
2008163553.tif 000008
【図７】
2008163553.tif 000009
【図８】
2008163553.tif 000010
【図９】
2008163553.tif 000011
【図１０】
2008163553.tif 000012
【図１１】
2008163553.tif 000013
【図１２】
2008163553.tif 000014
【図１３】
2008163553.tif 000015
【図１４】
2008163553.tif 000016
【図１５】
2008163553.tif 000017
【図１６】
2008163553.tif 000018
【図１７】
2008163553.tif 000019
【図１８】
2008163553.tif 000020
【図１９】
2008163553.tif 000021
【図２０】
2008163553.tif 000022
【図２１】
2008163553.tif 000023
【図２２】
2008163553.tif 000024
【図２３】
2008163553.tif 000025
【図２４】
2008163553.tif 000026
【図２５】
2008163553.tif 000027
【図２６】
2008163553.tif 000028
【図２７】
2008163553.tif 000029